(57)【要約】      （修正有）【課題】文書から抜き取ったときに使用者に与える注目度を高くするのに好適な重ねしおりを提供する。【解決手段】重ねしおり１は、透過性を有するシート部材１０を二つに区分して構成される第１シート部２及び第２シート部３と、これらが開閉可能にそれぞれの第１及び第２の上端部２ｕ及び３ｕを連結するシート連結部４とを備え、第１シート部２の第１印刷面２０には、第１印刷面２０から視認可能に、明瞭着色部２１０と透過着色部２１１とを有する第２の表示画像２１が印刷され、第１非印刷面から視認可能に、明瞭着色部と透過着色部２１１とを有する第１の表示画像が印刷され、第２シート部３の第２印刷面３０には、第２印刷面３０から視認可能に、透過性を有さないように構成された第３の表示画像３１が印刷され、第２非印刷面から視認可能に、透過性を有さないように構成された第４の表示画像が印刷されている。【選択図】図１
0003227439.tif 000002
【実用新案登録請求の範囲】
【請求項１】
重なり合うシート部の間に文書のページを構成するページ媒体を挟み込むことで前記文書に付して使用する重ねしおりであって、
複数のシート部と、
各前記シート部が開閉可能に前記各シート部の一端部を連結するシート連結部と、を備え、
前記複数のシート部のうち少なくとも１つは透過部を有し、
各前記シート部の少なくとも一方の面には、それぞれ画像が表示されており、
前記透過部を有する前記シート部である透過シート部と該透過シート部と隣に重なり合うシート部との間に前記ページ媒体を挟んだ状態で前記透過シート部を視た場合に、該透過シート部に表示された画像である第１の画像と前記透過部から覗く前記ページ媒体とが視認され、前記ページ媒体を挟まずに前記透過シート部側から前記複数のシート部を視た場合に、前記透過シート部の前記透過部を覗く他のシート部に表示された画像である第２の画像と前記第１の画像とが重なり合って構成された第３の画像が視認されるように構成されていることを特徴とする重ねしおり。
【請求項２】
請求項１において、
前記第１の画像及び前記第２の画像は、それぞれ独立した画像から構成されており、
前記ページ媒体を挟まずに前記透過シート部側から前記複数のシート部を視た場合に、前記透過シート部の前記透過部を覗く前記第２の画像と前記第１の画像とが合成されて前記第１の画像の特徴部分を感得させ且つ前記第１の画像を変化させた画像が前記第３の画像として表示されるように、前記第１の画像と前記第２の画像とが構成されている重ねしおり。
【請求項３】
請求項１又は２において、
前記他のシート部の少なくとも１つは、一方の面を視た場合に一の前記第２の画像が視認され、他方の面を視た場合に他の前記第２の画像が視認されるように前記一の第２の画像及び前記他の第２の画像が表示された両面画像シート部として構成されており、
前記シート連結部は、前記透過シート部を、前記両面画像シート部の一方の面側に積重する位置と、他方の面側に積重する位置との間で開閉可能に連結する重ねしおり。
【請求項４】
請求項１乃至３のいずれか１項において、
前記透過シート部の前記透過部は、透過性を有する部材に透過性を有する第１の塗料によって着色された前記第１の画像から構成されており、
前記第１の画像の一部の視認側とは反対側の位置に前記第１の塗料よりも透過性の低い第２の塗料を着色した重ねしおり。
【請求項５】
請求項１乃至４のいずれか１項において、
前記第１の画像及び前記第２の画像は、それぞれ独立した画像から構成されており、
前記ページ媒体を挟まずに前記透過シート部側から前記複数のシート部を視た場合に、前記透過シート部の前記透過部を覗く前記第２の画像と前記第１の画像とが合成されて前記第１の画像の特徴部分を感得させずに且つ前記第１の画像を変化させた画像が前記第３の画像として表示されるように、前記第１の画像と前記第２の画像とが構成されている重ねしおり。
【請求項６】
請求項５において、
前記複数のシート部のうち前記透過シート部と他のシート部との間に前記ページ媒体を挟んだ状態のときに前記透過シート部側から視認できる前記第１の画像の一部が、前記ページ媒体を挟まない状態のときに前記他のシート部に表示された前記第２の画像と重なって視認し難くなるように前記第１の画像と前記第２の画像とが構成されている重ねしおり。
【請求項７】
請求項１乃至６のいずれか１項において、
前記複数のシート部の少なくとも１つは、前記透過シート部に代えて又は加えて、透過性を有する部材から構成された前記シート部を単色に着色した構成のベタシート部を含み、
前記ページ媒体を挟まずに前記ベタシート部側から前記複数のシート部を視た場合に、前記第３の画像として、前記ベタシート部の前記ベタ塗りされた部分であるベタ部と、前記第１の画像及び前記第２の画像のうち少なくとも前記第２の画像とが重なり合って構成された画像が視認されるように構成されている重ねしおり。
【請求項８】
請求項１乃至５のいずれか１項において、
前記複数のシート部は、いずれも前記透過シート部から構成されているとともに、各前記透過シート部は、透過性を有する部材から構成されており、
各前記透過シート部の一方の面にはそれぞれ独立した画像が表示されている重ねしおり。
【考案の詳細な説明】
【技術分野】
【０００１】
本考案は、折り畳むなどしてそれぞれの一端部が連結された状態で重なり合った複数のシート部の間に本のページ紙などのページ媒体を挟み込むようにして用いられる重ねしおりに関する。
【背景技術】
【０００２】
従来、重なり合った２枚のシート部の間に本などの文書のページ紙を挟み込んで用いるしおりとして、例えば、特許文献１に記載の二股状栞が開示されている。この二股状栞は、透明又は半透明の柔軟で弾力性がある無色又は着色した電気絶縁性のシートを二股状にして上シート部と下シート部とを形成し且つ上シート部及び下シート部の先端部に凹形差込み口を形成してなるものである。そして、この凹形差込み口からシート部の間へと本のページ紙を側縁から挟み込み、ページ紙を擦るように二股状栞を動かしたときに、シート部が静電気を帯び、静電気を帯びたシート部がページ紙に吸着するようにして密着して、二股状栞がページ紙に保持されるように構成されている。
【先行技術文献】
【特許文献】
【０００３】
【特許文献１】実開昭６２−７８４６９号公報
【考案の概要】
【考案が解決しようとする課題】
【０００４】
しかしながら、上記特許文献１に記載の二股状栞は、透明又は半透明の上シート部及び下シート部が、両方とも無色に構成されているか、又は単色で着色する程度の外観デザインに構成されている。そのため、色が付いている程度のデザインに加えて、ページ紙に取り付けているときと取り付けていないときとで視認されるデザインには、透過するページ紙面の有無程度の違いしかない。
本考案は、文書から抜き取ったときに使用者に与える注目度を高くするのに好適な重ねしおりを提供することを目的とする。
【課題を解決するための手段】
【０００５】
［考案１］  上記目的を達成するため、考案１の重ねしおりは、重なり合うシート部の間に文書のページを構成するページ媒体を挟み込むことで前記文書に付して使用する重ねしおりであって、複数のシート部と、各前記シート部が開閉可能に前記各シート部の一端部を連結するシート連結部と、を備え、前記複数のシート部のうち少なくとも１つは透過部を有し、各前記シート部の少なくとも一方の面には、それぞれ画像が表示されており、前記透過部を有する前記シート部である透過シート部と該透過シート部と隣に重なり合うシート部との間に前記ページ媒体を挟んだ状態で前記透過シート部を視た場合に、該透過シート部に表示された画像である第１の画像と前記透過部から覗く前記ページ媒体とが視認され、前記ページ媒体を挟まずに前記透過シート部側から前記複数のシート部を視た場合に、前記透過シート部の前記透過部を覗く他のシート部に表示された画像である第２の画像と前記第１の画像とが重なり合って構成された第３の画像が視認されるように構成されている。
【０００６】
この構成であれば、透過シート部とこれと隣接するシート部との間にページ媒体を挟み込んだ状態のときには第１の画像と透過部から覗くページ媒体とが表示され、ページ媒体を挟まずに透過シート部側から複数のシート部を視た場合は、第１の画像と透過部から覗く第２の画像とが重なり合って構成された第３の画像が表示される。
ここで、上記画像は、例えば、絵、写真画像、イラストレーション（以下、単に「イラスト」と称す）、図形、文字等が該当し、これらのうちいずれか１つ又はいずれか２つ以上の組み合わせから構成されている。なお、シート部材を単色に着色しただけの構成は上記画像に含まないものとする。
【０００７】
［考案２］  さらに、考案２の重ねしおりは、考案１の重ねしおりにおいて、前記第１の画像及び前記第２の画像は、それぞれ独立した画像から構成されており、前記ページ媒体を挟まずに前記透過シート部側から前記複数のシート部を視た場合に、前記透過シート部の前記透過部を覗く前記第２の画像と前記第１の画像とが合成されて前記第１の画像の特徴部分を感得させ且つ前記第１の画像を変化させた画像が前記第３の画像として表示されるように、前記第１の画像と前記第２の画像とが構成されている。
【０００８】
この構成であれば、ページ媒体を挟まずに透過シート部側から複数のシート部を視た場合には第１の画像と第２の画像とが合成されて第１の画像の特徴部分を感得し且つ第１の画像が変化した構成の第３の画像が表示される。
［考案３］  さらに、考案３の重ねしおりは、考案２の重ねしおりにおいて、前記他のシート部の少なくとも１つは、一方の面を視た場合に一の前記第２の画像が視認され、他方の面を視た場合に他の前記第２の画像が視認されるように前記一の第２の画像及び前記他の第２の画像が表示された両面画像シート部として構成されており、前記シート連結部は、前記透過シート部を、前記両面画像シート部の一方の面側に積重する位置と、他方の面側に積重する位置との間で開閉可能に連結する。
【０００９】
この構成であれば、透過シート部を両面画像シート部の一方の面側に積重して、透過シート部側から複数のシート部を視た場合には、第１の画像と一の第２の画像とが重なり合って構成された一の第３の画像が視認される。一方、透過シート部を、両面画像シート部の他方の面側に積重したときには、第１の画像と他の第２の画像とが重なり合って構成された他の第３の画像が視認される。
【００１０】
［考案４］  さらに、考案４の重ねしおりは、考案１乃至３のいずれか１の重ねしおりにおいて、前記透過シート部の前記透過部は、透過性を有する部材に透過性を有する第１の塗料によって着色された前記第１の画像から構成されており、前記第１の画像の一部の視認側とは反対側の位置に前記第１の塗料よりも透過性の低い第２の塗料を着色した。
【００１１】
この構成であれば、透過シート部の第１の画像の一部を、視認側から実際に視認される色の透過性よりも低い透過性（高い隠蔽性）とすることができる。
［考案５］  さらに、考案５の重ねしおりは、考案１乃至４のいずれか１の重ねしおりにおいて、前記第１の画像及び前記第２の画像は、それぞれ独立した画像から構成されており、前記ページ媒体を挟まずに前記透過シート部側から前記複数のシート部を視た場合に、前記透過シート部の前記透過部を覗く前記第２の画像と前記第１の画像とが合成されて前記第１の画像の特徴部分を感得させずに且つ前記第１の画像を変化させた画像が前記第３の画像として表示されるように、前記第１の画像と前記第２の画像とが構成されている
この構成であれば、ページ媒体を挟まずに透過シート部側から複数のシート部を視た場合には第１の画像と第２の画像とが合成されて第１の画像の特徴部分を感得せず且つ第１の画像が変化した構成の第３の画像が表示される。
［考案６］  さらに、考案６の重ねしおりは、考案１乃至４のいずれか１の重ねしおりにおいて、前記複数のシート部のうち前記透過シート部と他のシート部との間に前記ページ媒体を挟んだ状態のときに前記透過シート部側から視認できる前記第１の画像の一部が、前記ページ媒体を挟まない状態のときに前記他のシート部に表示された前記第２の画像と重なって視認し難くなるように前記第１の画像と前記第２の画像とが構成されている。
【００１２】
この構成であれば、ページ媒体を挟んだ状態のときに見えていた第１の画像の一部を、ページ媒体を挟まない状態のときに第２の画像と重ねることで視認し難く（ほぼ見えなく）することができる。例えば、第１の画像の一部と第２の画像の同じ色で着色された背景部分とが重なり合うようにすることで、第１の画像の一部を背景部分に溶け込ませて視認し難くすることができる。また、例えば、第１の画像の一部を透明に構成し、この透明部分の周囲の色と、第２の画像の第１の画像の透明部分とが重なる部分の色とを同じ色に構成して、第１の画像と第２の画像とを重ね合わせたときに透明部分がその周囲の色と同じ色で視認されるようにして視認し難くすることができる。
【００１３】
［考案７］  さらに、考案７の重ねしおりは、考案１乃至６のいずれか１の重ねしおりにおいて、前記複数のシート部の少なくとも１つは、前記透過シート部に代えて又は加えて、透過性を有する部材から構成された前記シート部を単色に着色した構成のベタシート部を含み、前記ページ媒体を挟まずに前記ベタシート部側から前記複数のシート部を視た場合に、前記第３の画像として、前記ベタシート部の前記ベタ塗りされた部分であるベタ部と、前記第１の画像及び前記第２の画像のうち少なくとも第２の画像とが重なり合って構成された画像が視認されるように構成されている。
ここで、上記ベタシート部は、透過性を有する部材から構成されたシート部に、透過性を有する塗料をベタ塗り（ベタ印刷）した構成、透過性を有するシート部の製造段階で材料自体を着色材料によって着色して形成した構成のものなどが該当する。
【００１４】
この構成であれば、ベタシート部と他のシート部との間にページ媒体が挟まっているときは、単色にベタ塗りされたベタ部と、ページ媒体面のベタ部を透過した部分が視認され、ページ媒体が無い状態では、ベタ部と、透過シート部の第１の画像及び他のシート部の第２の画像のうち少なくとも第２の画像とが重なり合って構成された画像が第３の画像として視認される。
［考案８］  さらに、考案８の重ねしおりは、考案１乃至５のいずれか１の重ねしおりにおいて、前記複数のシート部は、いずれも前記透過シート部から構成されているとともに、各前記透過シート部は、透過性を有する部材から構成されており、各前記透過シート部の一方の面にはそれぞれ独立した画像が表示されている。
この構成であれば、例えば、複数の透過シート部のうち一の透過シート部とこれと隣に重なり合う他の透過シート部との間にページ媒体を挟んだ状態で一の透過シート部を視認したときに、一の透過シート部に表示された第１の画像と一の透過シート部の透過部から覗くページ媒体とが視認される。一方、ページ媒体を挟まずに一の透過シート部側から複数の透過シート部を視たときに第１の画像と一の透過シート部の透過部から覗く他の透過シート部に表示された画像である第２の画像とが重なり合って構成された第３の画像が表示される。また、一の透過シート部とは反対側の一の透過シート部についても、反対側の一の透過シート部の画像を第１の画像、他の透過シート部の画像を第２の画像として、反対側の一の透過シート部と隣に重なり合う他の透過シート部との間にページ媒体を挟んだ状態で反対側の一の透過シート部を視認したときに、反対側の一の透過シート部に表示された第１の画像とこの一の透過シート部の透過部から覗くページ媒体とが視認される。また、ページ媒体を挟まずに反対側の一の透過シート部側の面から複数の透過シート部を視認した場合は、反対側の一の透過シート部の第１の画像とこの一の透過シート部の透過部から覗く他の透過シート部の第２の画像とが重なり合って構成された第３の画像が視認される。
【考案の効果】
【００１５】
考案１の重ねしおりによれば、ページ媒体が差し込まれた状態からそうでない状態へと移行したときに、視認される画像を第１の画像から第３の画像へと変化させることができるので、画像への注目度を向上することができる。
また、考案２の重ねしおりによれば、ページ媒体が差し込まれた状態からそうでない状態へと移行したときに、第１の画像と第２の画像との合成によって第１の画像の特徴部分を感得し且つ第１の画像が変化した構成の第３の画像が視認されるので、画像への注目度をより向上することができる。
【００１６】
また、考案３の重ねしおりによれば、複数のシート部を、透過シート部を通して両面画像シート部の一方の面側から視た場合と他方の面側から視た場合とで視認される画像の内容を違う内容にすることができるので、透過シート部の数を増やすことなく視認可能な画像のパターンを簡易に増加することができる。
【００１７】
また、考案４の重ねしおりによれば、透過シート部を他のシート部と重なり合わせたときに、第１の画像の一部を第２の画像が透けにくくすることができるので、第３の画像上において第１の画像の一部（例えば特徴部分）が明瞭に視認されるようにすることができる。
また、考案５の重ねしおりによれば、ページ媒体を挟んでいた状態で視認される第１の画像を、重ねしおりをページ媒体から抜き取って第２の画像と重なり合わせたときに、第１の画像とは全く異なる第３の画像へと変化させることができる。これにより、画像への注目度を高めることができる。
また、考案６の重ねしおりによれば、ページ媒体を挟んでいた状態で視認できていた第１の画像の一部が、重ねしおりをページ媒体から抜き取ったときに消えたように錯覚させることができるので、画像への注目度を高めることができる。
【００１８】
また、考案７の重ねしおりによれば、例えばページ媒体の表面にベタシート部のベタ部と同じ色で文字を記載することで、重ねしおりで挟んだ部分に記載された文字をベタ部によって視認できないようにすることができる。加えて、重ねしおりを抜き取ったときに、ベタ部と、第１の画像及び第２の画像の少なくとも第２の画像とが重なって構成される第３の画像を視認することができる。これにより、暗記帳などに利用できるとともに、抜き取ったときに視認できる第３の画像によって一息つくなどが可能となる。
また、考案８の重ねしおりによれば、例えば、第１の画像及び第２の画像を意味のある独立した画像に構成するとともに、これらが重なって構成される第３の画像が意味の無い画像となるように構成することで、重なり合う複数の透過シート部を、間にページ媒体を挟んで視たときに、一方の面側からも他方の面側からも意味のある独立した画像を視認できるように構成することができる。これにより、重ねしおりでページ媒体を挟んだときに画像への注目度を高めることができる。加えて、第１の画像及び第２の画像を、第３の画像が、一方の面側からも他方の面側からも意味のある独立した画像に視えるように構成した場合は、ページ媒体を挟んだときと挟まないときと、一方の面側から視たときと他方の面側から視たときとで異なる画像が視認できるように構成することができる。これにより、重ねしおりでページ媒体を挟んだときと、ページ媒体を重ねしおりから抜き取ったときとの双方で画像への注目度を高めることができる。
【図面の簡単な説明】
【００１９】
【図１】本実施の形態に係る重ねしおり１の折り畳む前の一方の面を正面側から視た図である。
【図２】本実施の形態に係る重ねしおり１の折り畳む前の他方の面を背面側から視た図である。
【図３】（ａ）は、重ねしおり１の第１シート部２を第２シート部３の第２印刷面３０側に折り畳む過程を示す側面図であり、（ｂ）は、折り畳み後を示す側面図である。
【図４】（ａ）は、第１シート部２を、図３（ｂ）の状態から第２シート部３の第２非印刷面側に折り畳む過程を示す側面図であり、（ｂ）は、折り畳み後を示す側面図である。
【図５】（ａ）は、本実施の形態に係る重ねしおり１を、第１シート部２を第２シート部３の第２印刷面３０側へと折り畳んで書物１００のしおりとして使用した一例を示す図であり、（ｂ）は、（ａ）の部分拡大図である。
【図６】図５（ｂ）の状態の重ねしおり１を書物１００から引き抜く過程を示す図であり、（ｂ）は、引き抜いた後の第１閉状態の重ねしおり１を第１シート部２の第１非印刷面２２側から視た図である。
【図７】本実施の形態に係る重ねしおり１を、第１シート部２を第２シート部３の第２非印刷面３２側へと折り畳んで書物１００のしおりとして使用した一例を示す図である。
【図８】（ａ）は、図７に示す状態の重ねしおり１を書物１００から引き抜く過程を示す図であり、（ｂ）は、引き抜いた後の第２閉状態の重ねしおり１を第１シート部２の第１印刷面２０側から視た図である。
【図９】（ａ）及び（ｂ）は、シート連結部４をリング部材７から構成した重ねしおり１Ａを示す図である。
【図１０】（ａ）は、シート部材１０の一方の面の全体をラミネート加工した重ねしおり１Ｂを示す図であり、（ｂ）は、連結部の部分をラミネート加工した重ねしおり１Ｃを示す図であり、（ｃ）は、３つのシート部材をリング部材７を用いて連結した構成の重ねしおり１Ｄを示す図である。
【考案を実施するための形態】
【００２０】
以下、本考案の実施の形態を図面に基づいて説明する。図１乃至図１０は、本実施の形態を示す図である。なお、図面は模式的なものである。そのため、厚みと平面寸法との関係、比率等は現実のものとは異なる場合があることに留意すべきであり、図面相互間においても互いの寸法の関係や比率が異なる部分が含まれている場合がある。また、以下に示す実施の形態は、本考案の技術的思想を具体化するための物品を例示するものであって、本考案の技術的思想は、構成部品の材質、形状、構造、配置等を下記の実施形態に特定するものではない。
【００２１】
まず、本実施の形態の構成を説明する。
(構成）
図１は、本実施の形態に係る重ねしおり１の折り畳む前の一方の面を正面側から視た図であり、図２は、本実施の形態に係る重ねしおり１の折り畳む前の他方の面を背面側から視た図である。
以下、本実施の形態では、重ねしおり１を、例えばポリプロピレン等の透明、又は半透明の樹脂製のシート部材から構成した場合を例に挙げて説明する。
【００２２】
重ねしおり１は、図１に示すように、正面視ほぼ矩形のシート部材１０を、その長手方向の中央寄りの位置に設けたシート連結部４を境に２つに区分してなる一方の第１シート部２と、他方の第２シート部３とを有している。
シート部材１０を折り畳んだときに第１シート部２と第２シート部３の４隅となる部分には、それぞれ丸み（Ｒ）が設けられている。
【００２３】
シート連結部４は、正面視矩形のシート部材１０の長手方向中央のやや第１シート部２寄りの位置に設けられた、図１中の破線で示す折り畳み位置に沿った溝から構成されている。なお、この溝はシート部材１０の背面側の面にも形成されている。
第１シート部２は、図１に示す一方の面２０が、画像を印刷する印刷面（以下、「第１印刷面２０」と称す）となっており、この第１印刷面２０には、第１の表示画像２３（図２を参照）と第２の表示画像２１とが印刷されている。第１の表示画像２３及び第２の表示画像２１は、それぞれが単体でも成立する独立した画像であるとともに大部分が共通の画像から構成されている。また、非共通部分は、透過性の低い（隠蔽性の高い）塗料（例えば白色の塗料）を用いて上から重ねて印刷したり、その上にさらに重ねて透過性を有する塗料を用いて印刷したりして構成している。
【００２４】
第１シート部２のシート連結部４側の端部である第１の端部２ｕの中央部には、シート連結部４の位置から第１シート部２側にほぼ半円状に切ってなる凹部６が設けられている。この凹部６の内側の第１シート部２から分離したほぼ半円状の部分５（以下、「凸部５」と称す）は、第２シート部３のシート連結部４側の端部である第２の端部３ｕに一体に繋がった状態となっている。また、この凸部５は、書類に挟んだ際の摘み部としての役割を持たせるため、この部分にはシート連結部４を構成する溝を形成しない。そのため、シート部材１０を折り畳んだときに、凸部５は折り畳まれずに第２シート部３の長手方向外側に突出した状態となる。
【００２５】
以下、第１シート部２の第１の端部２ｕを、折り畳み時の位置を基準に「第１の上端部２ｕ」と称し、同様に第２シート部３の第２の端部３ｕを「第２の上端部３ｕ」と称する。また、第２シート部３のシート連結部４とは反対側の端部を「第２の下端部３ｄ」と称する。
【００２６】
第２の表示画像２１は、図１の例では、第１印刷面２０から視て、ショートヘアの化粧をしていないスッピンの女性のイラストからなる第２スッピン女性画像２１ａと、第１の上端部２ｕを単色（例えばあずき色）に着色した構成の上端着色画像２１ｂとを含んで構成されている。
【００２７】
第２スッピン女性画像２１ａは、前髪や服の輪郭部を、透過性の低い（隠蔽性の高い）白色の塗料（以下、単に「白色の塗料」と称す）で着色するとともに、前髪以外の髪の輪郭部の一部や顔や肩の輪郭部、眉毛、目、鼻及び唇を、白色の塗料で着色した上から黒色の塗料で着色した構成の明瞭着色部２１０と、明瞭着色部２１０以外の部分を透過性の比較的高い（隠蔽性の比較的低い）塗料（例えば、髪は薄茶色、顔などの肌は薄肌色、服は薄いベージュ色）で着色した構成の透過着色部２１１とを含んで構成されている。
【００２８】
一方、図２に示すように、第１シート部２の他方の面２２は、画像を印刷しない非印刷面（以下、「第１非印刷面２２」と称す）となっている。この第１非印刷面２２側からは、第１印刷面２０に最初に印刷された画像（１層目の画像）である第１の表示画像２３が視認可能となっている。
【００２９】
第１の表示画像２３は、図２の例では、第１非印刷面２２から視て、ショートヘアの化粧をしていないスッピンの女性のイラストからなる第１スッピン女性画像２３ａと、第１の上端部２ｕを第１印刷面２０側で視認される色とは異なる色（例えばピンク色）で着色した上端着色画像２３ｂとが視認可能に構成されている。
【００３０】
ここで、第１印刷面２０の上端着色画像２１ｂと第１非印刷面２２から視認される上端着色画像２３ｂとは、第１印刷面２０に最初に上端着色画像２３ｂが印刷され、その上に重ねて白色の塗料を第１の上端部２ｕにベタ塗りした構成の白ベタ部が印刷され、その上に上端着色画像２１ｂを重ねて印刷した構成となっている。
【００３１】
第１スッピン女性画像２３ａは、髪の輪郭部の一部、顔や肩の輪郭部、眉毛、目、鼻及び唇を、黒色の塗料で印刷するとともに、これらに重ねて白色の塗料を印刷した構成の明瞭着色部２３０を含んで構成されている。また、明瞭着色部２３０以外の部分は、第２スッピン女性画像２１ａとの共通部分である透過着色部２１１から構成されている。
【００３２】
なお、第１シート部２の第１の表示画像２３及び第２の表示画像２１以外の部分は、画像が印刷されておらず透明又は半透明などの部材に応じた透過度の透過部となっている。
また、第２シート部３は、図１に示す一方の面が画像を印刷する第２印刷面３０となっており、この第２印刷面３０（凸部５の面も含む）には、第４の表示画像３３（図２を参照）と、白ベタ部３１Ｗと、第３の表示画像３１とがこの順番に重ねて印刷されている。
【００３３】
第４の表示画像３３及び第３の表示画像３１は、それぞれが単独で成立する独立した画像から構成されており、第２印刷面３０に初めに第４の表示画像３３を印刷し、次に、第４の表示画像３３の印刷部分を含む第２シート部３の第２印刷面３０の全体（凸部５も含む）に白色の塗料をベタ塗りする構成の白ベタ部３１Ｗを重ねて印刷し、この白ベタ部３１Ｗの上に重ねて第３の表示画像３１を印刷している。これにより、第３の表示画像３１を第２印刷面３０側から視た場合と、第４の表示画像３３を第２非印刷面３２側から視た場合に、第３の表示画像３１と第４の表示画像３３とが互いに透けて視えないように構成されている。
【００３４】
第３の表示画像３１は、図１の例では、第２印刷面３０から視て、ゆるくウェーブのかかったロングヘアの美白系のおめかしをした女性のイラストからなるおめかし女性画像３１ａと、おめかし女性画像３１ａの周囲にそれぞれ表示された単色（例えばピンク色）で花柄に着色された構成のサイズの異なる３つの花柄画像３１ｂとを含んで構成されている。加えて、凸部５上にも表示された花柄画像３１ｂと、第２の上端部３ｕを単色（例えばピンク色）に着色した構成の上端着色画像３１ｃと、第２の下端部３ｄを単色（例えばピンク色）に着色した構成の下端着色画像３１ｄとを含んで構成されている。
【００３５】
おめかし女性画像３１ａは、髪の輪郭部の一部、眉毛、睫毛及び目が黒色に着色され、唇の部分が例えば赤色に着色され、頬の部分が例えばピンク色に着色された構成となっている。加えて、髪は金髪を表す例えば黄色系の色に着色され、肌は美白を表す例えば白みののった肌色に着色され、服は例えばあずき色に着色された構成となっている。これらの着色部分は、下地に印刷された白ベタ部３１Ｗによってほぼ透過しないように構成されている。また、本実施の形態において、おめかし女性画像３１ａの顔、頭、首、上半身の輪郭の形状やサイズは第１スッピン女性画像２３ａとほぼ同じ形状及びサイズに構成されている。
【００３６】
一方、図２に示すように、第２シート部３の他方の面３２は、画像を印刷しない非印刷面（以下、「第２非印刷面３２」と称す）となっている。この第２非印刷面３２側からは、第２印刷面３０に最初に印刷された１層目の画像である第４の表示画像３３が視認されるように構成されている。
【００３７】
第４の表示画像３３は、図２の例では、第２非印刷面３２から視て、ガングロ系のおめかしをした女性のイラストからなるガングロ女性画像３３ａと、ガングロ女性画像３３ａの周囲にそれぞれ表示された単色（例えば青紫色）で星形に着色された構成のサイズの異なる３つの星画像３３ｂとを含んで構成されている。加えて、凸部５上に表示された単色で星形に着色された構成の星画像３３ｂと、第２の上端部３ｕを単色（例えばあずき色）に着色した構成の上端着色画像３３ｃと、第２の下端部３ｄを単色（例えばあずき色）に着色した構成の下端着色画像３３ｄとを含んで構成されている。
【００３８】
ガングロ女性画像３３ａは、ツインテールのガングロ女性のイラストからなり、髪の輪郭部の一部、睫毛及び目が黒色に着色され、目の周り、唇及び髪の輪郭部の一部が白色に着色された構成となっている。加えて、髪は例えば緑色に着色され、肌は例えばこげ茶色に着色され、服はネック周りが例えば黒色に、他の部分が例えば青紫色に着色された構成となっている。これらの着色部分は、重ねて印刷された白ベタ部３１Ｗによってほぼ透過しないようになっている。また、本実施の形態において、ガングロ女性画像３３ａの顔、頭、首、上半身の輪郭の形状やサイズは第２スッピン女性画像２１ａとほぼ同じ形状及びサイズに構成されている。
【００３９】
次に、重ねしおり１のシート部の開閉構成について説明する。
ここで、図３（ａ）は、重ねしおり１の第１シート部２を第２シート部３の第２印刷面３０側に折り畳む過程を示す側面図であり、（ｂ）は、折り畳み後を示す側面図である。また、図４（ａ）は、第１シート部２を、図３（ｂ）の状態から第２シート部３の第２非印刷面３２側に折り畳む過程を示す側面図であり、（ｂ）は、折り畳み後を示す側面図である。
【００４０】
図３（ａ）に示すように、重ねしおり１は、第１シート部２及び第２シート部３が直線状となる状態からシート連結部４の溝部の位置で、第１シート部２を第２シート部３の第２印刷面３０側へと折り曲げることが可能となっている。そして、本実施の形態では、最終的に、図３（ｂ）に示すように、第１シート部２の第１印刷面２０が、第２シート部３の第２印刷面３０と重なり合う閉状態（以下、「第１閉状態」と称す）となるまで折り畳むことが可能となっている。このとき、第１シート部２の下端が第２シート部３の下端着色画像３１ｄの上端位置にくるように両者が重なった状態となる。
【００４１】
また、図４（ａ）に示すように、重ねしおり１は、図３（ｂ）に示す第１閉状態から第１シート部２を開いていき、第１シート部２及び第２シート部３が直線状となる状態からシート連結部４の溝部の位置でさらに第１シート部２を第２シート部３の第２非印刷面３２側へと折り曲げることが可能となっている。そして、本実施の形態では、最終的に、図４（ｂ）に示すように、第１シート部２の第１非印刷面２２が、第２シート部３の第２非印刷面３２と重なり合う閉状態（以下、「第２閉状態」と称す）となるまで折り畳むことが可能となっている。このとき、第１シート部２の下端が第２シート部３の下端着色画像３３ｄの上端位置にくるように両者が重なった状態となる。即ち、本実施の形態の重ねしおり１は、第１シート部２及び第２シート部３を、第１閉状態から第２閉状態の間で開閉可能に構成されている。
【００４２】
次に、重ねしおり１を、第１閉状態となる側に折り畳んで文書のしおり（インデックス）として用いる場合の作用を説明する。
ここで、図５（ａ）は、本実施の形態に係る重ねしおり１を、第１シート部２を第２シート部３の第２印刷面３０側へと折り畳んで書物１００のしおりとして使用した一例を示す図であり、（ｂ）は、（ａ）の部分拡大図である。また、図６（ａ）は、図５（ｂ）の状態の重ねしおり１を書物１００から引き抜く過程を示す図であり、（ｂ）は、引き抜いた後の第１閉状態の重ねしおり１を第１シート部２の第１非印刷面２２側から視た図である。
【００４３】
図５（ａ）及び（ｂ）に示すように、重ねしおり１を、第１閉状態側に折り畳んで書物１００のしおりとして用いる場合、第１シート部２の第１印刷面２０と第２シート部３の第２印刷面３０との間に書物１００の所望のページのページ紙１０１を挟み込む形で重ねしおり１を書物１００に差し込む。
【００４４】
これにより、書物１００の上側縁から上部へと凸部５が突出した状態で、重ねしおり１が書物１００に取り付けられた状態となる。この状態の重ねしおり１は、第１シート部２の第１非印刷面２２が正面を向き、第２シート部３の第２非印刷面３２が背面を向いた状態となる。
【００４５】
この状態の重ねしおり１を正面側から視ると、図５（ｂ）に示すように、第１の表示画像２３が視認されるとともに、間に白色の紙に文章１０２の記載されたページ紙１０１が挟まっているため、第１シート部２の透過部や第１スッピン女性画像２３ａの透過着色部２１１を介して、ページ紙１０１の挟まっている部分の紙面が視認される。
【００４６】
一方、この状態の重ねしおり１を、図６（ａ）及び（ｂ）に示すように、書物１００から引き抜くと、引き抜く過程では、図６（ａ）に示すように、ページ紙１０１が抜かれた部分は、第１シート部２の第１非印刷面２２と第２シート部３の第２非印刷面３２とが重なり合う。そのため、第１シート部２の透過部や第１スッピン女性画像２３ａの透過着色部２１１を介して、第３の表示画像３１が透過部分と重なって視認されるようになる。
【００４７】
そして、重ねしおり１を書物１００から完全に抜き取ると、第１シート部２と第２シート部３とが全体的に重なった状態となり、第１シート部２の第１非印刷面２２側からは、図６（ｂ）に示すように、第１の表示画像２３と第３の表示画像３１とが合成された第５の表示画像６０が視認される。即ち、重ねしおり１を書物１００から抜き取ることで、第１の表示画像２３が第５の表示画像６０に変化する。
【００４８】
この第５の表示画像６０は、第１スッピン女性画像２３ａとおめかし女性画像３１ａとが透過着色部２１１を介して合成された第２のおめかし女性画像６０ａと、第１シート部２の透過部を介して透過表示された第３の表示画像３１の花柄画像３１ｂとを含んで構成される。加えて、凸部５に印刷された第３の表示画像３１の花柄画像３１ｂと、第１の表示画像２３の上端着色画像２３ｂと、第２シート部３の下端着色画像３１ｄとを含んで構成される。
【００４９】
第２のおめかし女性画像６０ａは、第１スッピン女性画像２３ａのショートの髪の部分と、おめかし女性画像３１ａのロングの髪の部分とが、第１シート部２の透過着色部２１１及び透過部を介して重なり合って第１スッピン女性画像２３ａの髪型がロングヘアへと変化したように視認される。ここで、本実施の形態では、第１スッピン女性画像２３ａの髪の襟足の部分の輪郭部を明瞭表示しないことにより、おめかし女性画像３１ａの髪との接続部分を目立たないようにしている。
【００５０】
加えて、第１スッピン女性画像２３ａの透過着色部２１１を構成する透過性の比較的高い色と、おめかし女性画像３１ａの透過性の比較的低い色とが重なり合う部分では、両者の色が合成された色が視認される。但し、おめかし女性画像３１ａの色の方が支配的となっており、全体としておめかし女性画像３１ａの金髪を表す色、肌色、頬紅の色、唇の赤色などが強めに出た色に視認される。また、第１スッピン女性画像２３ａの顔、首、肩などの輪郭部、鼻、唇、鎖骨位置などの明瞭着色部２３０を構成するパーツの一部は、これらと重なるおめかし女性画像３１ａの部分を黒色に着色しないようにしており、明瞭着色部２３０のパーツの一部が明瞭に視認されるようになっている。その一方で、目の部分のように同じ黒色で着色された部分は、より面積の大きいおめかし女性画像３１ａの目の部分に埋没して、おめかし女性画像３１ａの目の部分が明瞭に視認されるようになっている。
【００５１】
次に、重ねしおり１を、第２閉状態となる側に折り畳んで文書のしおり（インデックス）として用いる場合の作用を説明する。
ここで、図７は、本実施の形態に係る重ねしおり１を、第１シート部２を第２シート部３の第２非印刷面３２側へと折り畳んで書物１００のしおりとして使用した一例を示す図である。また、図８（ａ）は、図７に示す状態の重ねしおり１を書物１００から引き抜く過程を示す図であり、（ｂ）は、引き抜いた後の第２閉状態の重ねしおり１を第１シート部２の第１印刷面２０側から視た図である。
【００５２】
図７に示すように、重ねしおり１を、第２閉状態側に折り畳んで書物１００のしおりとして用いる場合、第１シート部２の第１非印刷面２２と第２シート部３の第２非印刷面３２との間に書物１００の所望のページのページ紙１０１を挟み込む形で重ねしおり１を書物１００に差し込む。
【００５３】
これにより、書物１００の上側縁から上部へと凸部５が突出した状態で、重ねしおり１が書物１００に取り付けられた状態となる。この状態の重ねしおり１は、第１シート部２の第１印刷面２０が正面を向き、第２シート部３の第２印刷面３０が背面を向いた状態となる。
【００５４】
この状態の重ねしおり１を正面側から視ると、図７に示すように、第２の表示画像２１が視認されるとともに、間に白色の紙に文章１０２の記載されたページ紙１０１が挟まっているため、第１シート部２の透過部や第２スッピン女性画像２１ａの透過着色部２１１を介して、ページ紙１０１の挟まっている部分の紙面が視認される。
【００５５】
一方、この状態の重ねしおり１を、図８（ａ）及び（ｂ）に示すように、書物１００から引き抜くと、引き抜く過程では、図８（ａ）に示すように、ページ紙１０１が抜かれた部分は、第１シート部２の第１印刷面２０と第２シート部３の第２印刷面３０とが重なり合う。そのため、第１シート部２の透過部や第２スッピン女性画像２１ａの透過着色部２１１を介して、第４の表示画像３３が透過部分と重なって視認されるようになる。
【００５６】
そして、重ねしおり１を書物１００から完全に抜き取ると、第１シート部２と第２シート部３とが全体的に重なった状態となり、第１シート部２の第１印刷面２０側からは、図８（ｂ）に示すように、第２の表示画像２１と第４の表示画像３３とが合成された第６の表示画像６１が視認される。即ち、重ねしおり１を書物１００から抜き取ることで、第２の表示画像２１が第６の表示画像６１に変化する。
【００５７】
この第６の表示画像６１は、第２スッピン女性画像２１ａとガングロ女性画像３３ａとが透過着色部２１１を介して合成された第２のガングロ女性画像６１ａと、第１シート部２の透過部を介して透過表示された第４の表示画像３３の星画像３３ｂとを含んで構成される。加えて、凸部５に印刷された第４の表示画像３３の星画像３３ｂと、第２の表示画像２１の上端着色画像２１ｂと、第２シート部３の下端着色画像３３ｄとを含んで構成される。
【００５８】
第２のガングロ女性画像６１ａは、第２スッピン女性画像２１ａのショートの髪の部分と、ガングロ女性画像３３ａのツインテールの髪の部分とが、第１シート部２の透過着色部２１１及び透過部を介して重なり合って第２スッピン女性画像２１ａの髪型がツインテールの髪型へと変化したように視認される。ここで、本実施の形態では、第２スッピン女性画像２１ａの髪の襟足の部分の輪郭部を明瞭表示しないことにより、ガングロ女性画像３３ａの髪との接続部分を目立たないようにしている。
【００５９】
加えて、第２スッピン女性画像２１ａの透過着色部２１１を構成する透過性の比較的高い色と、ガングロ女性画像３３ａの透過性の比較的低い色とが重なり合う部分では、両者の色が合成された色が視認される。但し、ガングロ女性画像３３ａの色の方が濃い目の色で支配的となっており、全体としてガングロ女性画像３３ａの髪の緑色、ガングロ肌の色を表す焦げ茶色、目の周り及び唇の白色などが強めに出た色に視認される。また、第２スッピン女性画像２１ａの顔、首、肩などの輪郭部、鼻、唇などの明瞭着色部２１０を構成するパーツの一部は、これらと重なるガングロ女性画像３３ａの部分を黒色に着色しないようにしており、明瞭着色部２１０のパーツの一部が明瞭に視認されるようになっている。その一方で、目の部分のように同じ黒色で着色された部分は、より面積の大きいガングロ女性画像３３ａの目の部分に埋没して、ガングロ女性画像３３ａの目の部分が明瞭に視認されるようになっている。
【００６０】
（対応関係）
ここで、第１シート部２が、考案１乃至５の透過シート部に対応し、第２シート部３が、考案３の両面画像シート部に対応し、ページ紙１０１が、考案１、２及び５のページ媒体に対応し、第１及び第２の表示画像２３及び２１が、考案１、２及び４の第１の画像に対応する。
また、明瞭着色部２１０及び２３０が、考案２の特徴部分に対応し、第３及び第４の表示画像３１及び３３が、考案１、２、３及び５の第２の画像に対応し、第５及び第６の表示画像６０及び６１が、考案１及び２の第３の画像に対応する。
【００６１】
（本実施の形態の効果）
本実施の形態の重ねしおり１によれば、第１シート部２及び第２シート部３と、第１シート部２及び第２シート部３が開閉可能に各シート部の一端部（第１の端部２ｕ及び第２の端部３ｕ）を溝部を介して連結するシート連結部４とを備える。第１シート部２は、透過性を有する部材から構成されている。第１シート部２の第１印刷面２０には、第１印刷面２０から視認可能に構成され、透過性を有さない塗料を用いて構成された明瞭着色部２１０と透過性を有する塗料を用いて構成された透過着色部２１１とを有する第２の表示画像２１が表示（印刷）されている。加えて、第１印刷面２０には、第１非印刷面２２から視認可能に構成され、透過性を有さない塗料を用いて構成された明瞭着色部２３０と透過着色部２１１とを有する第１の表示画像２３が表示（印刷）されている。さらに、第２シート部３の第２印刷面３０には、第２印刷面３０から視認可能に構成され、且つ透過性を有さないように構成された第３の表示画像３１が表示（印刷）されている。加えて、第２印刷面３０には、第２非印刷面３２から視認可能に構成され、且つ透過性を有さないように構成された第４の表示画像３３が表示（印刷）されている。
【００６２】
さらに、この重ねしおり１によれば、第１シート部２の第１印刷面２０とこの第１シート部２と隣に重なり合う第２シート部３の第２印刷面３０との間にページ紙１０１を挟んだ状態で第１シート部２を視た場合に、この第１シート部２に表示された画像である第１の表示画像２１と、ページ紙１０１の第１シート部２の透過部及び透過着色部２１１と重なる部分とが視認されるように構成されている。また、この状態で、ページ紙１０１を挟まずに第１シート部２側から重ねしおり１を視た場合に、第１シート部２の透過部及び透過着色部２１１を介して、第１の表示画像２１と、第２シート部３の第２印刷面３０の最上層に表示（印刷）された画像である第３の表示画像３１とが重なり合って構成された第５の表示画像６０が視認されるように構成されている。
【００６３】
なおさらに、この重ねしおり１によれば、第１シート部２の第１非印刷面２２と第２シート部３の第２非印刷面３２との間にページ紙１０１を挟んだ状態で第１シート部２を視た場合に、この第１シート部２に表示された画像である第１の表示画像２３と、ページ紙１０１の第１シート部２の透過部及び透過着色部２１１と重なる部分とが視認されるように構成されている。また、この状態で、ページ紙１０１を挟まずに第１シート部２側から重ねしおり１を視た場合に、第１シート部２の透過部及び透過着色部２１１を介して、第１の表示画像２３と、第２シート部３の第２非印刷面３２の最下層に表示（印刷）された画像である第４の表示画像３３とが重なり合って構成された第６の表示画像６１が視認されるように構成されている。
【００６４】
この構成であれば、重ねしおり１が、書物１００から抜き取られて、ページ紙１０１が差し込まれた状態からそうでない状態へと移行したときに、視認される画像を第１の表示画像２１から第５の表示画像６０へと変化させることができる。または、第１の表示画像２３から第６の表示画像６１へと変化させることができる。これにより、表示画像への注目度を向上することができる。加えて、１つの重ねしおり１にて、ページ紙１０１を差し込んだ場合とそうでない場合とで４種類、第１シート部２をめくって第２シート部３の表示画像を直接視た場合の２種類とで計６種類の表示画像を楽しむことができる。
【００６５】
また、本実施の形態の重ねしおり１によれば、第１シート部２の第１非印刷面２２側から視認可能に、第１スッピン女性画像２３ａを含む第１の表示画像２３を表示し、第１印刷面２０側から視認可能に、第２スッピン女性画像２１ａを含む第２の表示画像２１を表示した。加えて、第２シート部３の第２印刷面３０側から視認可能に、おめかし女性画像３１ａを含む第３の表示画像３１を表示し、第２非印刷面３２側から視認可能に、ガングロ女性画像３３ａを含む第４の表示画像３３を表示した。
【００６６】
この構成により、ページ紙１０１が差し込まれた状態からそうでない状態へと移行したときに、第１の表示画像２３と第３の表示画像３１との合成によって第１の表示画像２３中の第１スッピン女性画像２３ａの特徴部分（明瞭着色部２１０）を感得させ且つ第１スッピン女性画像２３ａが変化（変身）した構成の第２のおめかし女性画像６０ａを表示することができる。また、ページ紙１０１が差し込まれた状態からそうでない状態へと移行したときに、第２の表示画像２１と第４の表示画像３３との合成によって第２の表示画像２１中の第２スッピン女性画像２１ａの特徴部分（明瞭着色部２１０）を感得させ且つ第２スッピン女性画像２１ａが変化（変身）した構成の第２のガングロ女性画像６１ａを表示することができる。これにより、書物１００から重ねしおり１を引き抜くことで、素朴な女性がその面影を残しつつおめかしをした状態に変化（変身）したり、ガングロ女性に変化（変身）したりする演出が可能となり、画像への注目度をより向上することができる。
【００６７】
また、本実施の形態の重ねしおり１によれば、第１及び第２スッピン女性画像２３ａ及び２１ａの髪や顔などの輪郭部を透過性の比較的低い塗料（白色の塗料）を用いて印刷することで、第１及び第２スッピン女性画像２３ａ及び２１ａ中に明瞭着色部２１０を形成するようにした。
【００６８】
この構成であれば、第１シート部２の第１印刷面２０を第２シート部３の第２印刷面３０と重なり合わせたときに、第１スッピン女性画像２３ａの輪郭部の一部をおめかし女性画像３１ａ上に明瞭表示することができる。また、第１シート部２の第１非印刷面２２を第２シート部３の第２非印刷面３２と重なり合わせたときに、第２スッピン女性画像２１ａの輪郭部の一部をガングロ女性画像３３ａ上に明瞭表示することができる。
【００６９】
これにより、スッピン女性画像の輪郭部の一部をそのままに、おめかし女性画像３１ａやガングロ女性画像３３ａが合成されて表示されるので、あたかもスッピン女性が変身したかのように画像を変化させることができる。
（変形例）
なお、上記実施の形態においては、１枚のシート部材１０をシート連結部４を介して二つに折り畳んで第１シート部２及び第２シート部３を形成する構成としたが、この構成に限らない。例えば、第１シート部２及び第２シート部３をそれぞれ独立した部品から構成し、図９（ａ）に示すように、それぞれの長手方向の一端部（第１の上端部２ｕ及び第２の上端部３ｕ）に連通する穴（図示略）をあけて、その穴を介して例えば開閉型のリング部材７を取り付けることで第１シート部２及び第２シート部３を開閉可能に連結した重ねしおり１Ａの構成としてもよい。この重ねしおり１Ａは、図９（ｂ）に示すように、リング部材７を軸として、この軸回りに、第１シート部２を、第１閉状態及び第２閉状態の間で回動させることで開閉動作させることができる。また、リング部材７が、重ねしおり１Ａを書物１００に差し込んだときの摘み部の役割を果たすので、凸部５を不要とできる。また、上記実施の形態では、１枚のシート部材１０にシート連結部４として溝部を形成し、この溝部を介して折り畳むことで開閉する構成としたため、第１閉状態及び第２閉状態の間で何度も開閉すると、連結部分が摩耗して千切れる恐れがある。これに対して、リング部材７を用いる本構成であれば、無理やり引っ張る等しない限り開閉動作による部品の摩耗は殆ど無いため、開閉動作に対する耐久性を高めることが可能となる。なお、リング部材７は、例えば、金属、樹脂などの材料から構成することができる。また、リング部材７の数は、１つ以上から構成可能であるが、シート部の開閉しやすさを考慮して、第１シート部２及び第２シート部３の短手方向の両端部にそれぞれ１つずつ、またはこれに加えて中央部に１つの３つなど開閉動作の安定性を考慮した数と取り付け位置とすることが望ましい。
【００７０】
また、上記実施の形態及びその変形例において、シート連結部４の開閉耐久度を高めるためにシート連結部４を補強する構成としてもよい。例えば、図１０（ａ）の重ねしおり１Ｂに示すように、透明なラミネートフィルム８にてシート部材１０のいずれか一方の面（図１０の例では第１非印刷面２２及び第２非印刷面３２）の全体をラミネート加工する構成としてもよい。なお、非印刷面側をラミネート加工する構成に限らず、印刷面側をラミネート加工する構成としてもよいし、片面だけに限らず、両面をラミネート加工する構成としてもよい。この構成とした場合に、折り畳みやすくするためにラミネートフィルム８に溝を形成する構成としてもよい。
【００７１】
また、上記実施の形態及びその変形例においては、第１印刷面２０に、第１の表示画像２３及び第２の表示画像２１を重ねて印刷する構成としたが、この構成に限らない。例えば、第１印刷面２０に第２の表示画像２１を印刷し、第１非印刷面２２に第１の表示画像２３を印刷する構成としてもよい。このことは、第３の表示画像３１及び第４の表示画像３３についても同様であり、それぞれを視認される側の面に印刷する構成としてもよい。
また、上記実施の形態及びその変形例においては、第１シート部２の第２シート部３の印刷面側及び非印刷面側の双方への開閉動作に対応する構成としたが、この構成に限らない。例えば、印刷面側の開閉動作のみに対応させる構成としてもよい。この場合は、非印刷面側からの視認のみに対応すればよいため、ガングロ女性画像３３ａを表示（印刷）する必要がなく、また、第１スッピン女性画像２３ａ側に明瞭着色部２３０を設ける必要が無い。以下、この構成を「片面構成」と称する。
【００７２】
片面構成とした場合は、非印刷面側への折り畳みを考慮する必要が無いため、非印刷面側に溝部を形成する必要が無く、１枚のシート部材１０を折り畳む構成としても開閉動作に対する耐久面に問題が生じにくくなる。また、耐久性を高める場合は、例えば、第１シート部２及び第２シート部３をそれぞれ独立した部品から構成し、それぞれの長手方向の一端部を、例えば、ウェルダー加工等によって比較的強固に貼り付ける構成とすることができる。この場合、ウェルダー加工部が、シート連結部４に対応する。または、上記したリング部材７を用いて連結する構成としてもよい。
【００７３】
また、上記実施の形態及びその変形例においては、シート部材１０を透過性を有する部材から構成し、透過着色部２１１や画像の印刷が無い部分などから透過部を構成したが、この構成に限らない。例えば、シート部材１０を透過性を有さない部材から構成し、第１シート部２に穴を開けることで透過部を形成する構成としてもよい。この構成とした場合、第１シート部２の穴を通して、例えば、花柄画像や星画像をスッピン女性画像に重ねて表示することができる。また、この構成とした場合に、シート部材を、樹脂製の材料に限らず、紙製や鉄製などの他の材料から構成することが可能である。
【００７４】
また、上記実施の形態及びその変形例においては、透過着色部２１０を介して２枚のイラストを合成して、第１スッピン女性画像２３ａの特徴部分（明瞭着色部２３０）を感得させ且つ第１スッピン女性画像２３ａを変化（変身）させた構成の第２のおめかし女性画像６０ａを視認させる構成とした。加えて、第２スッピン女性画像２１ａの特徴部分（明瞭着色部２１０）を感得させ且つ第２スッピン女性画像２１ａを変化（変身）させた構成の第２のガングロ女性画像６１ａを視認させる構成としたが、この構成に限らない。例えば、重ねしおり１を片面構成として、第１シート部２のイラスト部分に白色の塗料を重ねて印刷して透過着色部２１０を設けない構成とし、第２シート部３には第１シート部２のイラスト部分と重ならない位置に他のイラストを印刷し、第１シート部２のイラストと第１シート部２の透過部分を覗く第２シート部３の他のイラストとを重ねて表示するといった単純な構成としてもよい。一例を挙げると、男性のキャラクタＡがボートを１人で漕いでいるイラストＡを第１シート部２に印刷し、第２シート部３には、第１シート部２の男性のキャラクタＡと重ならないボート上の隣となる位置に、女性のキャラクタＢが座った姿勢のイラストＢを印刷し、間にページ紙１０１を挟まずに第１シート部２と第２シート部３とを重ねたときに、イラストＡが、ボートにキャラクタＡとＢとが一緒に乗っているイラストＣへと変化するといった構成が考えられる。
【００７５】
また、上記実施の形態及びその変形例において、例えば、重ねしおり１を片面構成とし、シート連結部４の補強のためにラミネート加工を施す際に、例えば、図１０（ｂ）の重ねしおり１Ｃに示すように、連結部分のみにラミネート加工を施す構成としてもよい。片面構成の場合は、非印刷面側に溝部を形成する必要もなく且つ第１シート部２を第２シート部３の非印刷面側へと折り畳むことも無いため、部分的にラミネート加工を施してもラミネート部分が邪魔をしてうまく重ならないとった問題が生じない。
【００７６】
また、上記実施の形態及びその変形例において、重ねしおり１を、第１シート部２及び第２シート部３の２つのシート部から構成したが、この構成に限らない。例えば、３つ以上のシート部から構成してもよい。この構成とする場合は、例えば、各シート部をそれぞれ独立した部品から構成し、例えば図１０（ｃ）の重ねしおり１Ｄに示すように、重ねしおり１Ａと同様に、リング部材７によって第１シート部２、第２シート部３及び第３シート部９の一端部を連結する構成とする。この構成とすることで、各シート部は、リング部材７を軸に自由に回動することが可能となり、様々な組み合わせでシート部を重ね合わせることが可能となる。例えば、図１０（ｃ）に示すように、第２シート部３の印刷面上に第３シート部９の一方の面を重ね合わせ、第３シート部９の他方の面上に第２シート部３の印刷面を重ね合わせる構成とすることができる。他にも、第２シート部３の印刷面上に第３シート部９の一方の面のみを重ね合わせたり、第２シート部３の非印刷面上に第１シート部２の非印刷面を重ね合わせ、第１シート部２の印刷面上に第３シート部９の他方の面を重ね合わせる構成とすることができる。各組み合わせにおいて、視認される画像を異なる内容とすることで、１つの重ねしおりでより多くの画像を楽しむことができる。
【００７７】
また、上記実施の形態及びその変形例においては、間にページ紙１０１を挟まずに第１シート部２と第２シート部３とを重ねたときに、第１シート部２のスッピン女性画像が、その面影（特徴部分）を残しつつ、おめかし女性画像やガングロ女性画像へと変化（変身）する画像を視認できる構成としたが、この構成に限らない。例えば、スッピン女性画像が、その特徴部分を残すことなく、まったく別の女性や男性（人物以外でも可）などに変化（変身）した画像を視認できる構成としてもよい。または、重ねる前は何が表示されているか分からない画像を第１シート部２に表示し、間にページ紙１０１を挟まずに第１シート部２と第２シート部３と重ねたときに意味のある画像が視認できる構成としてもよい。具体的に、第１シート部２と第２シート部３とにそれぞれ異なる人物などが視認される第１のドット絵及び第２のドット絵（例えば黒色のドットで描いたイラスト）を印刷する。第１シート部２については、シート部材を透明な部材から構成し、黒色以外のところは、透明なドット（印刷無し）とした第１のドット絵を印刷する。これにより、第１シート部２の非印刷面側からは第１のドット絵を左右反転した第２のドット絵が視認される。また、第２シート部３にはその一方の面及び他方の面から視認できる第３のドット絵及び第４のドット絵を例えば黒色のドット部分以外を白色のドットに構成するとともに互いが透過しないように構成する。第１シート部２と第２シート部３の各ドット絵は重ね合わせたときに、意味のあるドット絵や全く別のドット絵へと変化するように構成する。
この構成とすることで、重ねしおり１を書物１００に差し込んだときと書物１００から引き抜いたときとで全く異なる画像を表示することができるので、画像への注目度を高めることができる。
なお、上記ドット絵の原理は、第１のシート部２のドット絵の黒色のドット部分と第２のシート部の黒色又は白色のドット部分とが重なる位置は黒色に視認され、第１のシート部２のドット絵の透明のドット部分と第２のシート部の黒色又は白色のドット部分とが重なる位置は、黒色又は白色に視認されることを利用したものである。なお、この原理についての詳細は、例えば、〔令和２年３月２６日検索〕、インターネット（ＵＲＬ：https://irorio.jp/kaseisana/20160430/314425/）に記載されている。
【００７８】
また、上記実施の形態及びその変形例において、第１シート部２と第２シート部３との間にページ紙１０１を挟んだ状態のときに第１シート部２側から視認できる表示画像の一部が、ページ紙１０１を挟まない状態のときに第２シート部３に表示された表示画像と重なって視認し難くなるように各シート部の表示画像を構成してもよい。具体的に、例えば、ページ紙１０１を挟まない状態のときに、第１シート部２側から視認できる表示画像（以下、「第７の表示画像」と称す）の一部（例えば、青色の星画像）と第２シート部３に表示された表示画像（以下、「第８の表示画像」と称す）の同じ色で着色された背景部分（例えば、青色で着色された背景部分）とが重なり合うようにすることで、第７の表示画像の一部を背景部分に溶け込ませて視認し難くする。または、例えば、第７の表示画像の一部を単色（例えば青色）の背景部分に透明の星型部（非着色部）を形成した構成とし、この透明部分の周囲の色と、第８の表示画像の第７の表示画像の透明部分とが重なる部分の色とを同じ色（例えば青色）に構成して、第７の表示画像と第８の表示画像とを重ね合わせたときに透明部分がその周囲の色と同じ色で視認されるようにして視認し難くする。
この構成とすることで、ページ紙１０１を挟んでいた状態で視認できていた表示画像の一部が、重ねしおり１を書物１００から抜き取ったときに消えたように錯覚させることができるので、画像への注目度を高めることができる。
また、上記実施の形態及びその変形例において、例えば、第１シート部２に代えて、透過性を有する部材から構成されたシート部を単色に着色した構成のベタシート部を含む構成にするか、または、第１シート部２及び第２シート部３に加えて、ベタシート部を含む構成としてもよい。
【００７９】
この構成であれば、ページ紙１０１を挟まずにベタシート部側から重ねしおり１を視た場合に、ベタシート部のベタ部と、例えば、第１シート部２の第１の表示画像２３及び第２シート部３の第３の表示画像３１のうち少なくとも第３の表示画像３１とが重なり合って構成された画像が視認される。
【００８０】
例えば、単語帳や暗記カードに、ベタシート部のベタ部と同じ色で暗記したい単語などの文字を記載することで、重ねしおり１を、暗記部分を隠すように利用して勉強を行うことが可能となる。また、勉強を行っている途中で、重ねしおり１を抜き取ることで、ベタ画像と第１の表示画像２３及び第３の表示画像３１とが重なった画像、又はベタ画像と第３の表示画像３１とが重なった画像を視認（表示）することができる。これにより、重ねしおり１を、単語の暗記などの勉強に利用できるとともに、抜き取ったときに視認できる画像によって一息つくなど勉強の合間の癒しとして利用することが可能となる。
なお、ベタシート部は、例えば、透過性を有するシート部を、透過性を有する単色の塗料でベタ塗り（ベタ印刷）した構成としてもよいし、シート部の製造段階で着色剤を混ぜた材料から構成してもよい。
【００８１】
また、上記実施の形態及びその変形例において、例えば、第１のシート部２及び第２のシート部３の第１印刷面２０及び第２印刷面３０に独立した画像Ｐ１及びＰ２をそれぞれ印刷し、これらの画像Ｐ１及びＰ２が第１非印刷面２２及び第２非印刷面３２側からも左右反転して視認できる構成としてもよい。この構成とした場合に、重ねしおり１を、例えば、ページ紙１０１を間に挟まない状態のときに、画像Ｐ１及びＰ２が重なった意味の無い画像Ｐ３が第１非印刷面２２及び第２非印刷面３２側から視認され、第１のシート部２及び第２のシート部３の間にページ紙１０１を挟んだ状態のときに、第１非印刷面２２及び第２非印刷面３２側から意味のある独立した画像Ｐ１及びＰ２が視認される構成としてもよい。または、ページ紙１０１を間に挟まない状態のときも第１非印刷面２２及び第２非印刷面３２側から画像Ｐ１及びＰ２が重なった意味のある独立した画像Ｐ４が視認できる構成としてもよい。なお、逆側に折り畳んだ場合は、同様の画像Ｐ１〜Ｐ４が左右反転して視認される。
この構成であれば、第１のシート部２及び第２のシート部３の間にページ紙１０１を挟まない状態のときは画像Ｐ１及び画像Ｐ２が重なった画像Ｐ３又はＰ４が視認され、ページ紙１０１を挟んだ状態のときは、一方の面側から画像Ｐ１が他方の面側から画像Ｐ２が視認されるようにすることができる。これにより、画像への注目度を向上することができる。
【００８２】
また、上記実施の形態及びその変形例においては、重ねしおり１の各シート部を矩形の４隅に丸みを設けた形状としたが、この構成に限らず、別の形状としてもよい。
また、上記実施の形態及びその変形例においては、第１シート部２及び第２シート部３に表示する画像を、いずれも女性のイラストから構成したが、この構成に限らない。例えば、男性のイラストから構成してもよいし、人間以外の他の生物（他の動物、魚、昆虫、植物など）から構成してもよいし、機械などの無機物のイラストから構成してもよい。また、イラストに限らず、抽象画や模様など他の絵から構成してもよい。
また、上記実施の形態及びその変形例においては、紙製の書物１００に本発明の重ねしおり１を適用する例を説明したが、この構成に限らない。例えば、木、竹、布、樹脂などの他の素材から形成されたページ媒体を用いて構成された書物に適用してもよい。また、書物に限らず、しおりを適用可能な文書であれば、本以外のものに適用してもよい。
【００８３】
また、上記実施の形態及びその変形例においては、第１シート部２の長手方向の長さ寸法と、第２シート部３の長手方向の長さ寸法との関係を、第１シート部２の下端が第２シート部３の下端着色画像の上端位置にくる寸法関係とした。この構成に限らず、第１シート部２の長さ寸法と第２シート部３の長さ寸法との関係を他の長さ関係とする構成としてもよい。例えば、第１シート部２の長さ寸法を第２シート部３より短い範囲で他の長さ寸法とする構成にしてもよいし、両者を同じ長さ寸法とする構成にしてもよいし、第２シート部３の長さ寸法を第１シート部２の長さ寸法より長くする構成としてもよい。
また、上記実施の形態及びその変形例においては、第１シート部２の短手方向の長さ寸法と、第２シート部３の短手方向の長さ寸法とを両者が同じ長さ寸法となる関係に構成したが、この構成に限らない。例えば、一方が他方よりも短い長さ寸法となる長さ関係に構成してもよい。
また、上記実施の形態及びその変形例において、重ねしおり１を、例えば、片面構成とし、その第２シート部３の非印刷面側に付箋束を設ける構成としてもよい。この構成であれば、例えば、現在読み進めているページには重ねしおり１を挟み、後で読み直したい部分に付箋を付すといったことが可能となる。
【符号の説明】
【００８４】
１，１Ａ〜１Ｄ…重ねしおり、  ２…第１シート部、  ３…第２シート部、  ４…シート連結部、  ５…凸部、  ６…凹部、  ７…リング部材、  ８…ラミネートフィルム、  ９…第３シート部、  １０…シート部材、  ２０…第１印刷面、  ２１…第２の表示画像、  ２１ａ…第２スッピン女性画像、  ２１ｂ，２３ｂ，３１ｃ，３３ｃ…上端着色画像、  ２２…第１非印刷面、  ２３…第１の表示画像、  ２３ａ…第１スッピン女性画像、  ３０…第２印刷面、  ３１…第３の表示画像、  ３１ａ…おめかし女性画像、３１ｂ…花柄画像、３１ｄ，３３ｄ…下端着色画像、  ３１Ｗ…白ベタ部、  ３２…第２非印刷面、  ３３…第４の表示画像、３３ａ…ガングロ女性画像、  １００…書物、  １０１…ページ紙、  １０２…文章、  ２１０，２３０…明瞭着色部、  ２１１…透過着色部
【図１】
0003227439.tif 000003
【図２】
0003227439.tif 000004
【図３】
0003227439.tif 000005
【図４】
0003227439.tif 000006
【図５】
0003227439.tif 000007
【図６】
0003227439.tif 000008
【図７】
0003227439.tif 000009
【図８】
0003227439.tif 000010
【図９】
0003227439.tif 000011
【図１０】
0003227439.tif 000012
【手続補正書】
【提出日】令和2年5月29日(2020.5.29)
【手続補正１】
【補正対象書類名】実用新案登録請求の範囲
【補正対象項目名】請求項７
【補正方法】変更
【補正の内容】
【請求項７】
請求項１乃至６のいずれか１項において、
前記複数のシート部の少なくとも１つは、前記透過シート部に代えて又は加えて、透過性を有する部材から構成された前記シート部を単色に着色した構成のベタシート部を含み、
前記ページ媒体を挟まずに前記ベタシート部側から前記複数のシート部を視た場合に、前記第３の画像として、前記ベタシート部と、前記第１の画像及び前記第２の画像のうち少なくとも前記第２の画像とが重なり合って構成された画像が視認されるように構成されている重ねしおり。
【手続補正２】
【補正対象書類名】明細書
【補正対象項目名】００１３
【補正方法】変更
【補正の内容】
【００１３】
［考案７］  さらに、考案７の重ねしおりは、考案１乃至６のいずれか１の重ねしおりにおいて、前記複数のシート部の少なくとも１つは、前記透過シート部に代えて又は加えて、透過性を有する部材から構成された前記シート部を単色に着色した構成のベタシート部を含み、前記ページ媒体を挟まずに前記ベタシート部側から前記複数のシート部を視た場合に、前記第３の画像として、前記ベタシート部と、前記第１の画像及び前記第２の画像のうち少なくとも前記第２の画像とが重なり合って構成された画像が視認されるように構成されている。
ここで、上記ベタシート部は、透過性を有する部材から構成されたシート部に、透過性を有する塗料をベタ塗り（ベタ印刷）した構成、透過性を有するシート部の製造段階で材料自体を着色材料によって着色して形成した構成のものなどが該当する。
【手続補正３】
【補正対象書類名】明細書
【補正対象項目名】００１４
【補正方法】変更
【補正の内容】
【００１４】
この構成であれば、ベタシート部と他のシート部との間にページ媒体が挟まっているときは、単色に着色されたベタシート部と、ページ媒体面のベタシート部を透過した部分とが視認され、ページ媒体が無い状態では、ベタシート部と、透過シート部の第１の画像及び他のシート部の第２の画像のうち少なくとも第２の画像とが重なり合って構成された画像が第３の画像として視認される。
［考案８］  さらに、考案８の重ねしおりは、考案１乃至５のいずれか１の重ねしおりにおいて、前記複数のシート部は、いずれも前記透過シート部から構成されているとともに、各前記透過シート部は、透過性を有する部材から構成されており、各前記透過シート部の一方の面にはそれぞれ独立した画像が表示されている。
この構成であれば、例えば、複数の透過シート部のうち一の透過シート部とこれと隣に重なり合う他の透過シート部との間にページ媒体を挟んだ状態で一の透過シート部を視認したときに、一の透過シート部に表示された第１の画像と一の透過シート部の透過部から覗くページ媒体とが視認される。一方、ページ媒体を挟まずに一の透過シート部側から複数の透過シート部を視たときに第１の画像と一の透過シート部の透過部から覗く他の透過シート部に表示された画像である第２の画像とが重なり合って構成された第３の画像が表示される。また、一の透過シート部とは反対側の一の透過シート部についても、反対側の一の透過シート部の画像を第１の画像、他の透過シート部の画像を第２の画像として、反対側の一の透過シート部と隣に重なり合う他の透過シート部との間にページ媒体を挟んだ状態で反対側の一の透過シート部を視認したときに、反対側の一の透過シート部に表示された第１の画像とこの一の透過シート部の透過部から覗くページ媒体とが視認される。また、ページ媒体を挟まずに反対側の一の透過シート部側の面から複数の透過シート部を視認した場合は、反対側の一の透過シート部の第１の画像とこの一の透過シート部の透過部から覗く他の透過シート部の第２の画像とが重なり合って構成された第３の画像が視認される。
【手続補正４】
【補正対象書類名】明細書
【補正対象項目名】００１８
【補正方法】変更
【補正の内容】
【００１８】
また、考案７の重ねしおりによれば、例えばページ媒体の表面にベタシート部と同じ色で文字を記載することで、重ねしおりで挟んだ部分に記載された文字をベタシート部によって視認できないようにすることができる。加えて、重ねしおりを抜き取ったときに、ベタシート部と、第１の画像及び第２の画像の少なくとも第２の画像とが重なって構成される第３の画像を視認することができる。これにより、暗記帳などに利用できるとともに、抜き取ったときに視認できる第３の画像によって一息つくなどが可能となる。
また、考案８の重ねしおりによれば、例えば、第１の画像及び第２の画像を意味のある独立した画像に構成するとともに、これらが重なって構成される第３の画像が意味の無い画像となるように構成することで、重なり合う複数の透過シート部を、間にページ媒体を挟んで視たときに、一方の面側からも他方の面側からも意味のある独立した画像を視認できるように構成することができる。これにより、重ねしおりでページ媒体を挟んだときに画像への注目度を高めることができる。加えて、第１の画像及び第２の画像を、第３の画像が、一方の面側からも他方の面側からも意味のある独立した画像に視えるように構成した場合は、ページ媒体を挟んだときと挟まないときと、一方の面側から視たときと他方の面側から視たときとで異なる画像が視認できるように構成することができる。これにより、重ねしおりでページ媒体を挟んだときと、ページ媒体を重ねしおりから抜き取ったときとの双方で画像への注目度を高めることができる。
【手続補正５】
【補正対象書類名】明細書
【補正対象項目名】００７９
【補正方法】変更
【補正の内容】
【００７９】
この構成であれば、ページ紙１０１を挟まずにベタシート部側から重ねしおり１を視た場合に、ベタシート部と、例えば、第１シート部２の第１の表示画像２３及び第２シート部３の第３の表示画像３１のうち少なくとも第３の表示画像３１とが重なり合って構成された画像が視認される。
【手続補正６】
【補正対象書類名】明細書
【補正対象項目名】００８０
【補正方法】変更
【補正の内容】
【００８０】
例えば、単語帳や暗記カードに、ベタシート部と同じ色で暗記したい単語などの文字を記載することで、重ねしおり１を、暗記部分を隠すように利用して勉強を行うことが可能となる。また、勉強を行っている途中で、重ねしおり１を抜き取ることで、ベタシート部と第１の表示画像２３及び第３の表示画像３１とが重なった画像、又はベタシート部と第３の表示画像３１とが重なった画像を視認（表示）することができる。これにより、重ねしおり１を、単語の暗記などの勉強に利用できるとともに、抜き取ったときに視認できる画像によって一息つくなど勉強の合間の癒しとして利用することが可能となる。
なお、ベタシート部は、例えば、透過性を有するシート部を、透過性を有する単色の塗料でベタ塗り（ベタ印刷）した構成としてもよいし、シート部の製造段階で着色剤を混ぜた材料から構成してもよい。